(57)【要約】【課題】  模型部の義歯を作製する各部分をダウエルピンが植設された状態で土台部から分離し易く、ブリッジの義歯を作製する場合であっても、ワックスパターンの連結部に破断が生じ難くすることができる穿孔補助具を提供する。【解決手段】  第１筐体１及び第２筐体２は、第１側壁部１５及び第２側壁部２５であって穿孔補助具の一長辺側の位置を貫通する回転軸６によって、回転軸６，６回りに回動可能に軸支されており、第１筐体１及び第２筐体２であって穿孔補助具の他長辺側の間隙を、第１筐体１の天井部１０と第２筐体２の底部２０とが平行な姿勢の状態から、湾曲孔２６の長手方向の寸法内の任意の位置まで広くさせて、第１筐体１の天井部１０を第２筐体２の底部２０に対して傾斜した傾斜姿勢になし、適宜の傾斜姿勢の状態で固定用螺子８，８を締め付けて、当該傾斜姿勢を保持する。【選択図】  図１
2020182555.tif 000002
【特許請求の範囲】
【請求項１】
患者の歯の印象を写した模型部の平坦になした裏面にダウエルピンを植設すべく、穿孔機に着脱可能に固定されたドリルにて前記模型部の裏面に細孔を形成する作業を補助する穿孔補助具において、
前記ドリルを挿通させてこれを案内する筒状の案内部と、
該案内部を前記模型部の裏面に対して傾斜させた傾斜姿勢に保持する保持手段と
を備えることを特徴とする穿孔補助具。
【請求項２】
前記保持手段は、
帯板状の天井部を有する第１筐体と帯板状の底部を有する第２筐体とを互いに距離を隔てて、前記天井部の各辺と前記底部の各辺とが平行に、また底部に対して天井部が、両者の短辺間の距離が両者の一長辺縁から他長辺縁に向かうに従って漸次大きくなるように傾斜させた姿勢になるように配置してなり、
前記天井部には当該天井部の長手方向へ向かう第１長孔が開設してあり、
前記底部には当該底部の長手方向へ向かう第２長孔が前記第１長孔と対向するように開設してあり、
更に、第１長孔の長手方向へ移動可能に配設され、前記案内部を天井部と直交する姿勢で支持する支持部を具備する
請求項１記載の穿孔補助具。
【請求項３】
前記支持部は第１長孔の長手方向と直交する方向へも移動可能になしてある請求項２記載の穿孔補助具。
【請求項４】
前記第１筐体は天井部の両短辺側に側壁部をそれぞれ垂下してなり、また前記第２筐体は底部の両短辺側に側壁部をそれぞれ立設してなり、
両筐体を、互いの側壁部が摺接するように組み合わせ、対をなす側壁部それぞれの、前記第１筐体又は第２筐体の一長辺側近傍の位置に回転軸を貫通させて、第１筐体と第２筐体との前記第１筐体又は第２筐体の他長辺側の間隙が広狭可能にしてある
請求項２又は３記載の穿孔補助具。
【請求項５】
前記第１筐体の両側壁部又は第２筐体の両側壁部には、対応する回転軸回りに湾曲させた湾曲孔が開設してあり、
前記第２筐体の両側壁部又は第１筐体の両側壁部であって対応する湾曲孔に対向する適宜位置には貫通孔が開設してあり、
対をなす湾曲孔及び貫通孔にはそれぞれ、第１筐体及び第２筐体の回動姿勢を固定する固定用螺子部が挿通してある
請求項４記載の穿孔補助具。
【請求項６】
前記底部の裏面には、前記支持部に支持された案内部によって案内されるドリルの位置合わせを補助すべく帯板状の位置合わせ用補助部が固定してあり、
該位置合わせ用補助部には当該位置合わせ用補助部の長手方向へ向かう第３長孔が前記第１長孔及び第２長孔と対向するように開設してあり、また、該第３長孔と位置合わせ用補助部の長辺側の縁との間の領域に、前記第３長孔の中心軸と平行に、互いに距離を隔てて直線分状の複数の目安部が設けてある
請求項１から５のいずれかに記載の穿孔補助具。
【請求項７】
前記位置合わせ用補助部は透明な素材で形成してある請求項６記載の穿孔補助具。
【請求項８】
更に、位置合わせ用補助部には、前記目安部と平行をなす定規部が前記底部から突出する様態で設けてある請求項６又は７記載の穿孔補助具。
【発明の詳細な説明】
【技術分野】
【０００１】
本発明は、義歯を作製するに当たって、ダウエルピンを植設すべく穿孔機による穿孔作業を補助する穿孔補助具に関する。
【背景技術】
【０００２】
義歯を製作するには、所要サイズのトレーに充填された印象材を患者の歯に圧接して、当該患者の歯の印象を採取し、印象を採取した印象材内に石膏を流入して固化させることによって当該歯の模型部を得る。この模型部の裏面であって義歯を作製する各部分に対応する位置にそれぞれ目印を付けておき、歯科用の穿孔機によって当該各目印の位置を穿削して細孔を形成し、当該各細孔内にダウエルピンの基端側をそれぞれ嵌入して固定することによって、模型部の裏面にダウエルピンをそれぞれ植設する。
【０００３】
このとき、患者の歯の状態に応じた義歯を高精度に作製するには、模型部の所定位置にダウエルピンを正確に植設することが重要である。そのため、後述する特許文献１には次のような穿孔補助具が開示されている。
【０００４】
図１０は特許文献１に開示された穿孔補助具の使用様態を示す斜視図であり、図中、１９０は穿孔機の本体、２００は穿孔補助具である。穿孔機はモータといった駆動部を内蔵する円筒状の本体１９０を有しており、該本体１９０は、基端に電源コードが接続され、作業者が把持する把持部１９１と、把持部１９１の先端側から縮径状に延設され、その先端にドリル１９５が着脱可能に固定された脚部１９２とから構成されている。
【０００５】
一方、穿孔補助具２００は、横倒Ｌ字帯板状の基部２１０を具備してなり、該基部２１０の直角に起立した側壁部２１５の上縁近傍には平面視がコ字状の支持部２４０が螺子止してある。この支持部２４０内には、前述した穿孔機のドリル１９５を案内する円筒状の案内部２３０が嵌合してあり、案内部２３０は支持部２４０によって側壁部２１５と平行な姿勢で固定支持されている。また、基部２１０の前記側壁部２１５と直交する底壁部２１４であって、前記案内部２３０に対向する部分には、案内部２３０によって案内されるドリル１９５を挿通させるための挿通窓２１１が開設してある。案内部２３０は底壁部２１４に対して直交する姿勢で支持されており、従ってドリル１９５も底壁部２１４に対して直交する姿勢で挿通窓２１１を通過するようになっている。
【０００６】
かかる底壁部２１４上には横倒Ｊ字帯板状の保護部２２０が、その湾曲部２２５が前記側壁部２１５と互いに所定距離を隔てて対向するように固定してあり、保護部２２０の湾曲部２２５と基部２１０の側壁部２１５との間に前記挿通窓２１１が位置するようになっている。
【０００７】
このような穿孔補助具２００にあっては、患者の歯の印象を写した模型部Ｇを構成する平坦な裏面上に穿孔補助具２００の基部２１０の底壁部２１４を載置するとともに、親指を保護部２２０の湾曲部２２５内に挿入した作業者は、この状態で他の指を模型部Ｇに掛け回して模型部Ｇ及び穿孔補助具を挟持することによって、模型部Ｇの裏面に穿孔補助具を固定する。一方、穿孔機の本体１９０にはその基端側を案内部２３０に貫通させたドリル１９５が連結固定してあり、この穿孔機の把持部１９１を把持した作業者は、案内部２３０によって鉛直方向に案内されるドリル１９５を降下させることによって、模型部Ｇの所要位置に鉛直方向の細孔を穿削する。
【０００８】
これによって、作業者の親指にドリル１９５が接触することを防止しつつ、模型部Ｇの裏面の所要位置に鉛直方向の細孔を簡易高精度に形成することができる。
【０００９】
このようにして模型部に形成した複数の細孔にダウエルピンをそれぞれ植設すると、模型部の裏面であってダウエルピンを植設した部分を含む所要領域に剥離剤を塗布した後、該模型部の裏面側に別の石膏を用いて土台部を延設した後、模型部の義歯を作製する各部分の両側に前記土台部に達する切り込みをそれぞれ形成することによって、模型部の義歯を作製する各部分がダウエルピンを植設された状態で土台部から分離し得るようになす。そして、模型部の義歯を作製する各部分の全周面をワックス材で被覆し、被覆した当該各部分を土台部から抜出した後、更に模型部の各部分をワックス材から抜出してワックスパターンを得る。このワックスパターンを円筒状のリングの底部を塞止する塞止部の中央に設置し、前記リングで囲繞した後、リング内に埋没用石膏を充填・硬化させた後、加熱して埋没用石膏内のワックスパターンを燃焼除去させて鋳型を形成し、この鋳型内に適宜の金属を鋳込むことによって義歯を得ていた。
【先行技術文献】
【特許文献】
【００１０】
【特許文献１】特開２０１４−１１７４８７号公報
【発明の概要】
【発明が解決しようとする課題】
【００１１】
ところで、人間の歯は鉛直姿勢ではなく、鉛直方向から傾斜した傾斜姿勢であるため、患者の歯の印象が写された模型部にあっても、歯の部分は当該模型部の平坦な裏面に対して傾斜姿勢になっている。そこで、本発明者が鋭意検討した結果、かかる傾斜姿勢の歯の部分にあっては、模型部の裏面に植設するダウエルピンを当該歯の部分と同程度に傾斜させることによって、模型部の義歯を作製する各部分をダウエルピンが植設された状態で土台部から分離し易くすることができるという知見を得て本発明を完成するに至った。
【００１２】
すなわち、前述した穿孔補助具にあっては、模型部Ｇの裏面にダウエルピンを鉛直方向に開設するように構成してあるため、模型部の義歯を作製する各部分をダウエルピンを植設された状態で土台部から分離し難く、例えば、ブリッジの義歯を作製する場合、少なくとも相隣る３本分の部分を一度に土台部から抜出する必要があるが、それらに被覆させたワックスパターンにあって、相隣る３本の部分を互いに連結する連結部に破断が生じることがあった。
【００１３】
本発明は斯かる事情に鑑みてなされたものであって、模型部の義歯を作製する各部分をダウエルピンが植設された状態で土台部から分離し易く、ブリッジの義歯を作製する場合であっても、ワックスパターンの連結部に破断が生じ難くすることができる穿孔補助具を提供する。
【課題を解決するための手段】
【００１４】
（１）本発明に係る穿孔補助具は、患者の歯の印象を写した模型部の平坦になした裏面にダウエルピンを植設すべく、穿孔機に着脱可能に固定されたドリルにて前記模型部の裏面に細孔を形成する作業を補助する穿孔補助具において、前記ドリルを挿通させてこれを案内する筒状の案内部と、該案内部を前記模型部の裏面に対して傾斜させた傾斜姿勢に保持する保持手段とを備えることを特徴とする。
【００１５】
本発明の穿孔補助具にあっては、患者の歯の印象を写した模型部の平坦になした裏面にダウエルピンを植設すべく、穿孔機に着脱可能に固定されたドリルにて前記模型部の裏面に細孔を形成する作業を補助する際に、前述したドリルを挿通させてこれを案内する筒状の案内部を備えており、保持手段によって、前記案内部を模型部の裏面に対して傾斜させた傾斜姿勢に保持するように構成してある。
【００１６】
これによって、模型部の裏面に細孔を、当該模型の患者の歯の部分の傾斜に応じた傾斜姿勢に穿削することができる。かかる細孔に植設したダウエルピンも同様に傾斜姿勢になすことができるため、模型部の義歯を作製する各部分をダウエルピンが植設された状態で土台部から分離し易く、ブリッジの義歯を作製する場合であっても、ワックスパターンの連結部に破断が生じ難い。
【００１７】
（２）本発明に係る穿孔補助具は、前記保持手段は、帯板状の天井部を有する第１筐体と帯板状の底部を有する第２筐体とを互いに距離を隔てて、前記天井部の各辺と前記底部の各辺とが平行に、また底部に対して天井部が、両者の短辺間の距離が両者の一長辺縁から他長辺縁に向かうに従って漸次大きくなるように傾斜させた姿勢になるように配置してなり、前記天井部には当該天井部の長手方向へ向かう第１長孔が開設してあり、前記底部には当該底部の長手方向へ向かう第２長孔が前記第１長孔と対向するように開設してあり、更に、第１長孔の長手方向へ移動可能に配設され、前記案内部を天井部と直交する姿勢で支持する支持部を具備することを特徴とする。
【００１８】
本発明の穿孔補助具にあっては、前述した保持手段は、帯板状の天井部を有する第１筐体と、帯板状の底部を有する第２筐体とを互いに距離を隔てて構成してある。このとき、第１筐体と第２筐体とは、第１筐体の天井部を構成する短辺及び長辺の各辺と、前記模型の裏面に当接させる第２筐体の底部を構成する短辺及び長辺の各辺とが平行になるように配置してある。そして、第１筐体と第２筐体とは、第２筐体の底部に対して第１筐体の天井部が、両者の短辺間の距離が両者の一長辺縁から他長辺縁に向かうに従って漸次大きくなるように傾斜させた姿勢になしてある。
【００１９】
一方、第１筐体の天井部には当該天井部の長手方向へ向かう第１長孔が開設してあり、また、第２筐体の底部には当該底部の長手方向へ向かう第２長孔が、前記第１長孔と対向するように開設してある。前述した第１長孔内には、ドリルを案内する案内部が配してあり、この案内部は、第１長孔の長手方向へ移動可能に配設された支持部によって、天井部と直交する姿勢で支持されている。
【００２０】
前述したように保持手段の第１筐体と第２筐体とは、第２筐体の底部に対して第１筐体の天井部が、両者の短辺間の距離が両者の一長辺縁から他長辺縁に向かうに従って漸次大きくなるように傾斜させた姿勢になしてあり、かかる第１筐体の第１長孔内に案内部が支持部によって、第１筐体の天井部と直交する姿勢で支持されているため、案内部も第２筐体の底部に対して傾斜姿勢に保持される。かかる状態で第２筐体の底部を模型の平坦な裏面に当接させるので、模型部の裏面に傾斜した細孔を容易・正確に穿削することができる。
【００２１】
一方、本穿孔補助具を模型の裏面に、第２筐体の底部が当該裏面と対向するように配設した場合、作業者は、第１筐体の第１長孔及びこれに対抗第２筐体の第２長孔から模型の裏面表面を視認することができる。一方、案内部にて案内されるドリルは第２筐体に開設された第２長孔を通過して模型の裏面に到達する。このとき、ドリルを案内する案内部は、第１長孔の長手方向へ移動可能に配設された支持部によって支持されているため、模型の裏面の所要位置へのドリルの先端の位置合わせを容易・正確に実施することができる。
【００２２】
（３）本発明に係る穿孔補助具は、前記支持部は第１長孔の長手方向と直交する方向へも移動可能になしてあることを特徴とする。
【００２３】
本発明の穿孔補助具にあっては、前述した支持部は第１長孔の長手方向と直交する方向へも移動可能になしてある。例えば、天井部の第１長孔の両長辺縁に、支持部を案内する溝状部分を設けておき、該溝状部分の底部間の寸法を支持部材の寸法より大きくすることで、支持部は第１長孔の長手方向と直交する方向へも移動可能になすことができる。これによって、ドリルの先端の位置合わせを更に容易・正確に実施することができる。
【００２４】
（４）本発明に係る穿孔補助具は、前記第１筐体は天井部の両短辺側に側壁部をそれぞれ垂下してなり、また前記第２筐体は底部の両短辺側に側壁部をそれぞれ立設してなり、両筐体を、互いの側壁部が摺接するように組み合わせ、対をなす側壁部それぞれの、前記第１筐体又は第２筐体の一長辺側近傍の位置に回転軸を貫通させて、第１筐体と第２筐体との前記第１筐体又は第２筐体の他長辺側の間隙が広狭可能にしてあることを特徴とする。
【００２５】
本発明の穿孔補助具にあっては、前述した第１筐体は天井部の両短辺側に側壁部をそれぞれ垂下してなり、また前記第２筐体は底部の両短辺側に側壁部をそれぞれ立設してなる。即ち、第１筐体及び第２筐体は横倒コ字状をなしている。これら第１筐体及び第２筐体を、互いの側壁部が摺接するように組み合わせ、対をなす側壁部それぞれの、前記第１筐体又は第２筐体の一長辺側近傍の位置に回転軸を貫通させて、第１筐体と第２筐体との前記第１筐体又は第２筐体の他長辺側の間隙が広狭可能にしてある。これによって、第２筐体の底部に対する第１筐体の天井部及び案内部の傾斜角度を調整することができるため、当該傾斜角度を患者の歯の傾斜に略応じた角度に調整することができる。
【００２６】
（５）本発明に係る穿孔補助具は、前記第１筐体の両側壁部又は第２筐体の両側壁部には、対応する回転軸回りに湾曲させた湾曲孔が開設してあり、前記第２筐体の両側壁部又は第１筐体の両側壁部であって対応する湾曲孔に対向する適宜位置には貫通孔が開設してあり、対をなす湾曲孔及び貫通孔にはそれぞれ、第１筐体及び第２筐体の回動姿勢を固定する固定用螺子部が挿通してあることを特徴とする。
【００２７】
本発明の穿孔補助具にあっては、前記第１筐体の両側壁部又は第２筐体の両側壁部には、対応する回転軸回りに湾曲させた湾曲孔が開設してある。そして、第２筐体の両側壁部又は第１筐体の両側壁部であって対応する湾曲孔に対向する適宜位置には貫通孔が開設してあり、対をなす湾曲孔及び貫通孔にはそれぞれ、第１筐体及び第２筐体の回動姿勢を固定する固定用螺子部が挿通してある。かかる穿孔補助具は、固定用螺子部を緩めて、第２筐体の底部に対する第１筐体の天井部及び案内部の傾斜角度を調整した後、固定用螺子部を締め付けることによって、天井部及び案内部を当該傾斜角度に固定することができる。これによって、ドリルによる細孔の穿削作業中、案内部の傾斜にずれが発生することが防止され、細孔を正確に穿削することができる。
【００２８】
（６）本発明に係る穿孔補助具は、前記底部の裏面には、前記支持部に支持された案内部によって案内されるドリルの位置合わせを補助すべく帯板状の位置合わせ用補助部が固定してあり、該位置合わせ用補助部には当該位置合わせ用補助部の長手方向へ向かう第３長孔が前記第１長孔及び第２長孔と対向するように開設してあり、また、該第３長孔と位置合わせ用補助部の長辺側の縁との間の領域に、前記第３長孔の中心軸と平行に、互いに距離を隔てて直線分状の複数の目安部が設けてあることを特徴とする。
【００２９】
本発明の穿孔補助具にあっては、第２筐体の底部の裏面には、支持部に支持された案内部によって案内されるドリルの位置合わせを補助すべく帯板状の位置合わせ用補助部が固定してある。この位置合わせ用補助部には、当該位置合わせ用補助部の長手方向へ向かう第３長孔が前記第１長孔及び第２長孔と対向するように開設してあり、案内部にて案内されるドリルは第２筐体に開設された第２長孔及び位置合わせ用補助部に開設された第３長孔を通過して模型の裏面に到達する。
【００３０】
この第３長孔と位置合わせ用補助部の長辺側の縁との間の領域に、第３長孔の中心軸と平行に、互いに距離を隔てて直線分状の複数の目安部が設けてある。かかる目安部としては、位置合わせ用補助部の表裏いずれかの面に線分状の溝、又は印字を設けることができる。そして、前述した模型の裏面の適宜位置に予め直線分を表記しておき、いずれかの目安部をこの直線分に併せることによって、穿孔補助具を平行移動させることができる。
【００３１】
このように穿孔補助具が平行移動されるため、平行移動後に穿削した細孔の傾斜と、一つ前に穿削した細孔の傾斜とは平行になっており、模型部の義歯を作製する各部分をダウエルピンを植設された状態で土台部から分離し易く、ブリッジの義歯を作製する場合であっても、ワックスパターンの連結部に破断が生じ難い。
【００３２】
（７）本発明に係る穿孔補助具は、前記位置合わせ用補助部は透明な素材で形成してあることを特徴とする。
【００３３】
本発明の穿孔補助具にあっては、前記位置合わせ用補助部は、透明樹脂といった透明な素材で形成してあり、これによって、作業者の視認性が向上する。
【００３４】
（８）本発明に係る穿孔補助具は、更に、位置合わせ用補助部には、前記目安部と平行をなす定規部が前記底部から突出する様態で設けてあることを特徴とする。
【００３５】
本発明の穿孔補助具にあっては、位置合わせ用補助部には、前述した目安部と平行をなす定規部が第２筐体の底部から突出する様態で設けてあるため、前述した如く模型の裏面に直線分を引く際に、この定規部を使用することができる。これによって、穿孔補助具だけで、模型の複数の箇所にそれぞれ所要の細孔を容易・正確に穿削することができる。
【図面の簡単な説明】
【００３６】
【図１】本発明に係る穿孔補助具の一例を示す斜視図である。
【図２】図１に示した穿孔補助具の平面図である。
【図３】図１に示した穿孔補助具の底面図である。
【図４】図２のＩＶ−ＩＶ線による断面図である。
【図５】本発明に係る穿孔補助具を用いて、患者の歯の印象を写した模型に細孔を穿削する方法を説明する説明図である。
【図６】本発明に係る穿孔補助具を用いて、患者の歯の印象を写した模型に細孔を穿削する方法を説明する説明図である。
【図７】本発明に係る穿孔補助具を用いて、患者の歯の印象を写した模型に細孔を穿削する方法を説明する説明図である。
【図８】本発明に係る穿孔補助具を用いて、患者の歯の印象を写した模型に細孔を穿削する方法を説明する説明図である。
【図９】本発明に係る穿孔補助具を用いて、患者の歯の印象を写した模型に細孔を穿削する方法を説明する説明図である。
【図１０】特許文献１に開示された穿孔補助具の使用様態を示す斜視図である。
【発明を実施するための形態】
【００３７】
本発明に係る穿孔補助具を図面に基づいて詳述する。
なお、本実施の形態で説明する穿孔補助具は、本発明の趣旨を説明する一例であり、本発明はその趣旨を逸脱しない範囲での変形や改造を含むことはいうまでもない。
【００３８】
図１は本発明に係る穿孔補助具の一例を示す斜視図であり、図中、１及び２は、平面視が長方形の開閉式オペラグラスケース状の一対の第１筐体及び第２筐体である。また、図２及び図３は、図１に示した穿孔補助具の平面図及び底面図であり、図４は図２のＩＶ−ＩＶ線による断面図である。これらの図中、それぞれ対応する部分には同じ番号が付してある。
【００３９】
本穿孔補助具を使用する場合、第１筐体１を上側に、また第２筐体２を下側に配置するようになっており、後述するように第１筐体１及び第２筐体２は、一長辺近傍に配設した回転軸６，６回りに他長辺側の間隙が広狭可能になしてある。
【００４０】
第１筐体１は、長方形板状の天井部１０の短辺側の両側縁に第１側壁部１５，１５をそれぞれ垂下してなり、天井部１０の中央領域には帯状の第１長孔１１が第１筐体１の長辺と平行に開設してある。両第１側壁部１５，１５の一側縁近傍の位置には当該第１側壁部１５，１５を貫通する貫通孔がそれぞれ開設してあり、両貫通孔には前述した回転軸６，６が嵌入してある。また、両第１側壁部１５，１５の他側縁近傍の位置にも当該第１側壁部１５，１５を貫通する他の貫通孔がそれぞれ開設してあり、両貫通孔には蝶螺子といった固定用螺子８，８の脚部がそれぞれ挿通してある。
【００４１】
一方、前述した第１長孔１１の長辺側の両縁部にはそれぞれ、例えば二重板で構成した深溝状の第２案内部（溝状部分）１２，１２が設けてあり、両第２案内部１２，１２内には、これら第２案内部１２，１２に亘って配された平板状の支持部３の縁部が、第１長孔１１の長手方向へ摺動自在に挿入してある。また、両第２案内部１２，１２の最深部間の寸法は、支持部３の第２案内部１２，１２内に挿入させた両縁部間の寸法より大きくしてあり、これによって支持部３は、第１長孔１１の長手方向と直交する方向へも移動可能になしてある。
【００４２】
また、支持部３の略中央位置には後述するドリルを案内する円筒状の第１案内部５が、支持部３と直角にこれを貫通する様態で取り付けてある。第１案内部５の外寸は前述した第１長孔１１の幅寸法より小さくしてあり、これによって第１案内部５は、これを支持する支持部３と共に、第１長孔１１の長手方向及び第１長孔１１の長手方向と直交する方向のいずれの方向へも移動し得るようになっている。ここで、第１案内部５は交換可能に構成するとよい。これによって経時的な使用によって発生するガタを回避することができる。
【００４３】
前述した第２筐体２は、長方形板状の底部２０の短辺側の両側縁に、前述した第１側壁部１５の高さ寸法と略同じ高さ寸法になした第２側壁部２５，２５をそれぞれ立設してなり、該第２筐体２と第１筐体１とは、両第２側壁部２５，２５が第１筐体１の第１側壁部１５，１５の内側に摺接するように嵌合させてある。また、両第２側壁部２５，２５の一側縁近傍の位置にも当該第２側壁部２５，２５を貫通する貫通孔がそれぞれ開設してあり、両貫通孔には前述した回転軸６，６が嵌入してある。
【００４４】
更に、両第２側壁部２５，２５の他側縁近傍の位置には当該第２側壁部２５，２５を貫通する湾曲孔２６，２６が、前記回転軸６，６を中心とする円弧上にそれぞれ開設してあり、両湾曲孔２６，２６に前記固定用螺子８，８の脚部が挿通させてある。
【００４５】
なお、本形態では、第２筐体２と第１筐体１とは、第２筐体２の両第２側壁部２５，２５が第１筐体１の第１側壁部１５，１５の内側に摺接するように嵌合させた場合を示したが本発明はこれに限らず、第１筐体１の両第１側壁部１５，１５が第２筐体２の第２側壁部２５，２５の内側に摺接するように嵌合させてもよいことは言うまでも無い。また、第２側壁部２５，２５に湾曲孔２６，２６を設け、第１側壁部１５，１５の対応する位置に貫通孔を設けてあるが、第１側壁部１５，１５に湾曲孔をそれぞれ設け、第２側壁部２５，２５の対応する位置に貫通孔を設けてもよい。
【００４６】
このように第１筐体１及び第２筐体２は、第１側壁部１５，１５及び第２側壁部２５，２５であって穿孔補助具の一長辺側の位置を貫通する回転軸６，６によって、回転軸６，６回りに回動可能に軸支されており、第１筐体１及び第２筐体２であって穿孔補助具の他長辺側の間隙を、第１筐体１の天井部１０と第２筐体２の底部２０とが平行な姿勢の状態から、湾曲孔２６，２６の長手方向の寸法内の任意の位置まで広くさせて、第１筐体１の天井部１０が第２筐体２の底部２０に対して傾斜した傾斜姿勢の状態にすることができ、適宜の傾斜姿勢の状態で固定用螺子８，８を締め付けることによって、当該傾斜姿勢を保持することができる。
【００４７】
このとき、前述したように穿孔機のドリルを案内する第１案内部５は支持部３によって当該支持部３及び第１筐体１の天井部１０に直交する姿勢で支持されているので、第１案内部５も第２筐体２の底部２０に対して傾斜した傾斜姿勢になっている。この状態で、後述するように患者の歯の印象を写した模型の平坦になした裏面に第２筐体２を対向配置することによって、当該模型の裏面に対して第１案内部５を傾斜姿勢に保持することができる。
【００４８】
ここで、第２筐体２の底部２０に対する第１筐体１の天井部１０及び第１案内部５の傾斜角度は、第１筐体１及び第２筐体２の他長辺側の間隙を広狭させることによって調整し得、後述する如く、患者の歯の印象を写した模型における義歯を作製する部分の傾斜姿勢と第１案内部５の傾斜姿勢とがほぼ一致するように、第１筐体１及び第２筐体２の他長辺側の間隙を調整する。なお、第１筐体１の天井部１０と第２筐体２の底部２０とがなす角の角度は特に限定されないが、例えば０°以上１３°前後以下に開閉可能になしておくとよい。これによって、第１筐体１の天井部１０と第２筐体２の底部２０とがなす角が最大になるように開させることによって、第２筐体２の底部２０に対する第１筐体１の天井部１０及び第１案内部５の傾斜角度を最適にすることができ、当該傾斜角度の調整を容易にすることができる。
【００４９】
なお、本形態では、第１側壁部１５の高さ寸法と第２側壁部２５の高さ寸法とを略同じになし、また湾曲孔２６，２６を適宜に開設することによって、第１筐体１及び第２筐体２であって穿孔補助具の他長辺側の間隙を最小にしたときに、第１筐体１の天井部１０と第２筐体２の底部２０とが平行な姿勢になるように構成してあるが、本発明はこれに限らず、第１側壁部１５の高さ寸法及び／又は第２側壁部２５の高さ寸法並びに湾曲孔２６，２６の長さ寸法及び開設領域を適宜調整して、第１筐体１及び第２筐体２であって穿孔補助具の他長辺側の間隙を最小にしたときに、第２筐体２の底部２０に対して第１筐体１の天井部１０が傾斜した姿勢になるように構成してもよい。
【００５０】
ところで、第２筐体２の底部２０の中央領域には、前述した第１長孔１１より大きい幅寸法及び長さ寸法になした帯状の第２長孔２２が第２筐体２の長辺と平行に開設してある。
【００５１】
一方、第２筐体２の裏面には、底部２０と略同じ寸法の透明な帯板材を用いてなり、穿孔のための位置合わせを補助する位置合わせ用補助部７が、長辺側の一縁部を第２筐体２の底部２０から少し突出させた様態で固定してあり、この突出部分をして後述するように作業者が直線を引くことを可能になした定規部７５にしてある。
【００５２】
また、位置合わせ用補助部７の前記第１長孔１１に対向する領域には、第１長孔１１と略同じ寸法の第３長孔７３が開設してある。また、位置合わせ用補助部７の前述した定規部７５と第３長孔７３との間の領域には、定規部７５と平行な１又は複数（図１及び図３に示した場合には２本）の平行線が、底部２０の短辺方向へ適宜の距離を隔てて設けてあり、後述するように各平行線及び第３長孔７３の長辺側縁は、穿孔補助具を平行移動させる際の目安部７１，７１，７１を構成している。
【００５３】
なお、本形態では、第２筐体２の第２側壁部２５，２５に設けた湾曲孔２６，２６、並びに当該湾曲孔２６，２６及び第１筐体１の第１側壁部１５，１５を貫通する貫通孔に挿通させた固定用螺子８，８によって、第１筐体１及び第２筐体２であって穿孔補助具の他長辺側の間隙を広狭し得るようになしてあるが、本発明はこれに限らず、第１筐体１及び第２筐体２であって穿孔補助具の他長辺側の間隙を調整し得、調整した状態を保持できるものであれば他の構成であってもよいことはいうまでもない。
【００５４】
なお、本形態では、第１筐体１及び第２筐体２であって穿孔補助具の他長辺側の間隙を調整可能に構成してあるが、本発明はこれに限らず、第１筐体１及び第２筐体２であって穿孔補助具の他長辺側の間隙を予め固定しておいてもよい。この場合、第２筐体２の底部２０に対する第１案内部５及び第１案内部５の傾斜角度が異なる複数の穿孔補助具を予め用意しておくとよい。これによって、種々の患者の歯に適用することができる。
【００５５】
次に、このような穿孔補助具を用いて、患者の歯の印象を写した模型に細孔を穿削する方法について説明する。
【００５６】
図５から図９は、本発明に係る穿孔補助具を用いて、患者の歯の印象を写した模型に細孔を穿削する方法を説明する説明図であり、各図中、図１〜図４に示した部分に対応する部分には同じ番号を付してその説明を省略する。
【００５７】
本穿孔補助具を用いるのに先立って、所要サイズのトレーに充填された印象材を患者の歯に圧接して、当該患者の歯の印象を採取し、印象を採取した印象材内に石膏を流入して固化させることによって患者の歯の模型部Ｇを得ておく。また、図５（ａ）に示したように、模型部Ｇの裏面であって義歯を作製する各部分に対応する位置にそれぞれ、小さな窪みといった目印Ｐ，Ｐ，…を既法に従って設けておく。なお、模型部Ｇは必要箇所についてトリミングといった所要の処理を施してあり、また模型部Ｇの裏面は平坦である。
【００５８】
図５（ａ）に示したように、模型部Ｇをその裏面が表になるように配置しておき、本穿孔補助具の位置合わせ用補助部７を模型部Ｇの裏面に当接させた後、該位置合わせ用補助部７の定規部７５及び筆記具を用いて、例えば所謂ブリッジを作製する場合にはクラウンとなる位置にある目印Ｐ，Ｐ、というように義歯を作製する部分の基礎となる目印Ｐ，Ｐを通る線分Ｌを模型部Ｇの裏面に記入する。
【００５９】
なお、このとき、穿孔補助具はその他長辺側の第１筐体１の天井部１０と第２筐体２の底部２０との間隙を狭くしておいてもよいし、当該間隙を広くしておいてもよい。
【００６０】
次に、図６（ｂ）に示したように、固定用螺子８，８を調整して、穿孔補助具の他長辺側の第１筐体１の天井部１０と第２筐体２の底部２０との間隙を広くすることによって、第１筐体１の天井部１０を第２筐体２の底部に対して傾斜姿勢になしておく。このとき、患者の歯の印象を写した模型Ｇにおける義歯を作製する部分の傾斜姿勢と第１案内部５の傾斜姿勢とがほぼ一致するように、第１筐体１の天井部１０及び第２筐体２の底部２０の他長辺側の間隙を調整する。
【００６１】
また、第３長孔７３を挿通させたドリル９５の基端部を、第１長孔１１内の支持部３に支持された第１案内部５内を貫通させ、このドリル９５の基端部を穿孔補助具上に配した穿孔機９の先端部に取り付ける。
【００６２】
続いて、図７（ｃ）に示したように、この状態で、本穿孔補助具の位置合わせ用補助部７を模型部Ｇの裏面に、位置合わせ用補助部７に設けた適宜の目安部７１と前記線分Ｌと平行になるように穿孔補助具の回転姿勢を調整する。次に、第１長孔１１及び透明な位置合わせ用補助部７又は第３長孔７３を通して視認しつつ、位置合わせ用補助部７に設けた目安部７１，７１，…及び前記線分Ｌを用いて、穿孔補助具の第３長孔７３を該当する目印Ｐ上に平行移動させた後、前記穿孔補助具及び支持部３を第１長孔１１の長手方向及び／又は第１長孔１１の長手方向と直交する方向へ移動させて、前記線分Ｌが通る目印Ｐ上にドリル９５の先端が位置するように調整する。そして、穿孔機９を駆動させてドリル９５を回転させ、この状態で穿孔機９を降下させる。このとき、ドリル９５は穿孔補助具の第１案内部５によって案内されるが、第１案内部５は第１筐体１の天井部１０の傾斜姿勢に直交する傾斜姿勢に保持されているので、模型部Ｇには傾斜した細孔が穿削される。
【００６３】
このようにして模型部Ｇの所要位置への細孔の穿削が終了すると、ドリル９５を引き上げて穿孔機９の動力を停止した後、図８（ｄ）（ｅ）に示したように、位置合わせ用補助部７に設けた目安部７１，７１，…及び前記線分Ｌを用いて、穿孔補助具を次の目印Ｐ上に平行移動させる。そして、前同様、ドリル９５によって傾斜した細孔を当該目印Ｐの位置に穿削する。このとき、穿孔補助具が前述した如く平行移動されているため、当該細孔の傾斜と一つ前の前記細孔の傾斜とは平行になっている。
【００６４】
このような作業を繰り返して、模型部Ｇの全ての目印Ｐ，Ｐ，…にそれぞれ細孔を穿削した後、図９（ｆ）に示したように、各細孔内にダウエルピンＤＰ，ＤＰ，…の基端部を嵌入固定する。
【００６５】
このようにして全てのダウエルピンＤＰ，ＤＰ，…を模型部Ｇに植設すると、従来と同様、模型部Ｇの裏面であってダウエルピンＤＰ，ＤＰ，…を植設した部分を含む所要領域に剥離剤を塗布した後、該模型部Ｇの裏面側に別の石膏を用いて土台部を延設した後、模型部Ｇの義歯を作製する各部分の両側に前記土台部に達する切り込みをそれぞれ形成することによって、模型部の義歯を作製する各部分がダウエルピンＤＰ，ＤＰ，…を植設された状態で土台部から分離し得るようになす。そして、模型部Ｇの義歯を作製する各部分の全周面をワックス材で被覆し、被覆した当該各部分を土台部から抜出した後、更に模型部Ｇの各部分をワックス材から抜出してワックスパターンを得る。このワックスパターンを円筒状のリングの底部を塞止する塞止部の中央に設置し、前記リングで囲繞した後、リング内に埋没用石膏を充填・硬化させた後、加熱して埋没用石膏内のワックスパターンを燃焼除去させて鋳型を形成し、この鋳型内に適宜の金属を鋳込むことによって義歯を得る。
【００６６】
このとき、各ダウエルピンＤＰ，ＤＰ，…は、模型部Ｇの平坦な裏面に対して適当な傾斜姿勢で植設されるのに加え、各ダウエルピンＤＰ，ＤＰ，…の姿勢は相互に平行である。そのため、模型部Ｇの義歯を作製する各部分をダウエルピンＤＰ，ＤＰ，…を植設された状態で土台部から分離し易く、ブリッジの義歯を作製する場合であっても、ワックスパターンの連結部に破断が生じ難い。
【００６７】
なお、本形態では、模型部Ｇの裏面に、義歯を作製する部分の基礎となる目印Ｐ，Ｐを通る線分Ｌを記入する場合について説明したが、本発明はこれに限らず例えば、義歯を作製する部分の中央の目印Ｐと模型部Ｇの舌根中央とを通る基線分に、当該目印Ｐで直交する線分Ｌを記入してもよい。前者の場合にあっては、模型部Ｇの各目印Ｐ，Ｐ，…の間、及び模型部Ｇの義歯を作製する各部分の両側に前記土台部に達する切り込みをそれぞれ形成する場合、前述した線分Ｌに直交するように切り込みを形成するとよい。一方、後者の場合にあっては、模型部Ｇの舌根中央を中心とする放射線状に切り込みを形成する。土台部に達する切り込みをそれぞれ形成するとよい。
【００６８】
ところで、本形態では、第２筐体２の裏面に帯板状の位置合わせ用補助部７を固定した場合について示したが、本発明はこれに限らず、例えば樹脂材を用いることによって、第２筐体２と置合わせ用補助部７とを一体的に形成してもよいことは言うまでもない。
【符号の説明】
【００６９】
１    第１筐体
２    第２筐体
３    支持部
５    第１案内部
６    回転軸
７    位置合わせ用補助部
８    固定用螺子
１０    天井部
１１    第１長孔
２０    底部
２２    第２長孔
７１    目安部
７３    第３長孔
７５    定規部
Ｇ    模型部
ＤＰ    ダウエルピン
【図１】
2020182555.tif 000003
【図２】
2020182555.tif 000004
【図３】
2020182555.tif 000005
【図４】
2020182555.tif 000006
【図５】
2020182555.tif 000007
【図６】
2020182555.tif 000008
【図７】
2020182555.tif 000009
【図８】
2020182555.tif 000010
【図９】
2020182555.tif 000011
【図１０】
2020182555.tif 000012